(57)【要約】      （修正有）【課題】超音波骨カッターのカッターヘッドと、それを有する超音波骨カッターを提供する。【解決手段】超音波骨カッターのカッターヘッドは、カッターバー（２）およびカッターヘッドの端部（１）を含んでおり、前記カッターヘッドの端部（１）は、前記カッターバー（２）の前端部に連結されており、また、スプーン形状をなしている前記カッターヘッドの端部（１）の前面の辺縁は、歯形状になっている。【選択図】図３
0003207943.tif 000002
【実用新案登録請求の範囲】
【請求項１】
超音波骨カッターのカッターヘッドであって、
カッターバーと、
前記カッターバーの前端に連結する端部と、を備え、
前記端部はスプーン形状であり、かつ前面辺縁が歯形状になっている、ことを特徴とする超音波骨カッターのカッターヘッド。
【請求項２】
前記端部の前記前面辺縁の最大幅は、前記カッターバーの幅より小さくない、ことを特徴とする請求項１に記載の超音波骨カッターのカッターヘッド。
【請求項３】
前記カッターバー及び前記端部の内部は、中空構造でありかつ互いに連通する、ことを特徴とする請求項１または請求項２に記載の超音波骨カッターのカッターヘッド。
【請求項４】
前記端部には孔が設けられ、前記孔は前記端部のスプーン形状の中心または底部の少なくとも一箇所に位置するとともに前記中空構造と連通する、ことを特徴とする請求項３に記載の超音波骨カッターのカッターヘッド。
【請求項５】
カッター本体をさらに備え、
前記カッター本体は前記カッターバーの後端に連結されており、
前記カッター本体と前記カッターバーは円柱形であり、かつ前記カッター本体は前記カッターバーより大きく、かつ前記カッター本体と前記カッターバーとの間は円弧につながっている、ことを特徴とする請求項３に記載の超音波骨カッターのカッターヘッド。
【請求項６】
前記カッター本体にはレンチの取り付け部が設置されている、ことを特徴とする請求項５に記載の超音波骨カッターのカッターヘッド。
【請求項７】
前記カッター本体の本体において、前記カッターバーに相対する片側には螺子連結孔が設置され、前記螺子連結孔は前記中空構造に連通する、ことを特徴とする請求項６に記載の超音波骨カッターのカッターヘッド。
【請求項８】
前記端部の前記前面辺縁において、前記端部の凹面から凸面に向かう方向に沿って複数の歯溝が形成されている、ことを特徴とする請求項１に記載の超音波骨カッターのカッターヘッド。
【請求項９】
前記複数の歯溝のそれぞれと、前記端部の前記凹面から前記凸面に向かう方向との角度は９０度より小さい、ことを特徴とする請求項８に記載の超音波骨カッターのカッターヘッド。
【請求項１０】
前記歯溝の一端は前記端部の前記凹面に連通し、前記歯溝の前記幅方向に沿う長さは、中央部から両側に向かって徐々に小さくなる、ことを特徴とする請求項８に記載の超音波骨カッターのカッターヘッド。
【請求項１１】
前記端部における、前記凸面および前記凹面に連結する２つの相対する側壁の少なくとも１つの側壁には互いに離隔された複数の第１凹溝が設けられている、ことを特徴とする請求項１に記載の超音波骨カッターのカッターヘッド。
【請求項１２】
前記複数の第１凹溝のそれぞれはスプーン形状の中心からスプーン形状の底部方向に延伸し、かつ前記複数の第１凹溝は前から後へ向かう方向に分布されている、ことを特徴とする請求項１１に記載の超音波骨カッターのカッターヘッド。
【請求項１３】
前記端部の前記凸面には複数の第２凹溝が設けられている、ことを特徴とする請求項１または１１に記載の超音波骨カッターのカッターヘッド。
【請求項１４】
前記複数の第２凹溝それぞれは前記端部の幅方向に延伸され、前記複数の第２凹溝は前から後へ向かう方向に分布されている、ことを特徴とする請求項１３に記載の超音波骨カッターのカッターヘッド。
【請求項１５】
請求項１〜１４のいずれか一項に記載の超音波骨カッターのカッターヘッドを含む、ことを特徴とする超音波骨カッター。
【考案の詳細な説明】
【技術分野】
【０００１】
本考案は、医療機器の技術分野に関し、特に超音波骨カッターのカッターヘッドとそれを有する超音波骨カッターに関する。
【背景技術】
【０００２】
従来の整形外科機器（電気ドリルなど）と超音波骨カッターのカッターヘッドは、手術過程で操作するとき、操作で力を入れる方向がほとんど下へ向かうため、非常に大きなリスクをもたらしている。
【０００３】
図１Ａは従来の超音波骨カッターのカッターヘッド１００の典型的な構造を示し、該超音波骨カッターのカッターヘッド１００’は歯が多く、幅の広いカッター尖端部分を有し、図１Ｂに示すように、カッター尖端部分の大部は切断に用いる有効な主要部位ではないことになる。
【０００４】
しかし、このような超音波骨カッターのカッターヘッド１００’は下記のような問題を有する。図２Ａにおいて、図２Ａ中Ｆ１に示すように、該超音波骨カッターのカッターヘッド１００’を用いて骨２００’の骨組織に向かって力を入れる。切断するとき、該超音波骨カッターのカッターヘッド１００’は下方へ垂直に骨組織に向かって力を入れるため、切断速度が遅くなり、効率が低くなり、かつ複数の歯を有するカッターヘッドが操作過程で折れが生じるおそれがある。これは図２ＢのＦ２に示している。さらに、図２Ａ、図２Ｂに示すように、切断されたところの下方の軟組織３００’は見えなくなり、操作する際に、力は下方へ向かうため、下方の破壊されるべきでない組織が容易に破壊されることにより、手術リスクが大幅に増加し、手術の成功率が低くなって、医師の操作難度が増加する。例えば、脊柱の手術では、通常の脊柱の手術部位において、下方は脊髄であり、もし、脊髄が破壊されると、機能が喪失し、一生半身不随になり、更に死に至る可能性が高い。
【考案の概要】
【考案が解決しようとする課題】
【０００５】
本考案は従来技術に存在する技術問題の少なくとも１つを解決することを目的とする。
そのため、本考案は、超音波骨カッターのカッターヘッドの使用効率が高く、切断速度が速く、手術時間を短縮する超音波骨カッターのカッターヘッドを提供する。
【０００６】
さらに、本考案は、超音波骨カッターのカッターヘッドを用いて切断する際の位置決めが正確になり、手術の成功率を高める超音波骨カッターのカッターヘッドを提供する。
【０００７】
さらに、本考案は、前記超音波骨カッターのカッターヘッドを含む超音波骨カッターを提供する。
本考案の実施例における超音波骨カッターのカッターヘッドは、カッターバー、カッターヘッドの端部を含み、前記カッターヘッドの端部は前記カッターバーの前端に連結し、前記カッターヘッドの端部は、スプーン形状になり、かつ前面の辺縁は歯形状になっている。
【０００８】
本考案の実施例における超音波骨カッターのカッターヘッドを設けることにより、切断速度が更に速くなるため、手術の時間を短縮し、かつ切断する際の位置決めが正確になり、スリップが発生せず、手術の成功率を高めることができる。
【０００９】
さらに、本考案の超音波骨カッターのカッターヘッドは下記のような技術的特徴を有する。
【００１０】
本考案の一実施例によれば、前記カッターヘッドの端部の幅は前記カッターバーの幅より小さくない。
【００１１】
本考案の一実施例によれば、前記カッターバーと前記カッターヘッドの端部の内部は、中空構造になっており互いに連通している。
【００１２】
本考案の一実施例によれば、前記カッターヘッドの端部には孔が設けられ、前記孔は前記カッターヘッドの端部のスプーン形状の中心とスプーン形状の底部の少なくとも一箇所に位置する。
【００１３】
本考案の一実施例によれば、超音波骨カッターのカッターヘッドは、カッター本体をさらに含み、前記カッター本体は前記カッターバーの後端に連結され、前記カッター本体と前記カッターバーは円柱形であり、かつ前記カッター本体の円柱形の大きさは前記カッターバーの大きさより大きくなり、かつ前記カッター本体と前記カッターバーの間は円弧につながっている。
【００１４】
本考案の一実施例によれば、前記カッター本体にはレンチの取り付け部が設置されている。
【００１５】
本考案の一つの実施例によれば、前記カッター本体の本体の前記カッターバーに相対する片側には螺子連結孔が形成されている。
【００１６】
本考案の一つの実施例によれば、前記カッターヘッドの端部の前記前面の辺縁において、略前記カッターヘッドの端部の凹面から凸面に向かう方向に沿って複数の歯溝が設けられている。
【００１７】
本考案の一実施例によれば、各前記歯溝と、カッターヘッドの端部の凹面から凸面に向かう方向との角度は９０度より小さい。
【００１８】
本考案の一実施例によれば、前記歯溝の一端と前記カッターヘッドの端部の凹面は互いに連通し、前記歯溝は前記幅方向の長さに沿って中間から両側に向かって徐々に小さくなる。
【００１９】
本考案のいくつかの実施例では、凸面および凹面と連結する前記カッターヘッドの端部の２つの側壁の少なくとも１つには複数の互いに隔離されている第１凹溝が設けられている。
【００２０】
好ましくは、各前記第１凹溝はスプーン形状の中心からスプーン形状の底部方向に延伸し、かつ複数の前記第１凹溝は前から後へ向かう方向に分布されている。
【００２１】
本考案のいくつかの実施例では、前記カッターヘッドの端部の凸面には複数の第２凹溝が設けられている。
好ましくは、各前記第２凹溝は前記カッターヘッドの端部の幅方向に延伸し、複数の前記第２凹溝は前から後に向かう方向に分布されている。
【００２２】
本考案は、前記超音波骨カッターのカッターヘッドを含む超音波骨カッターを更に提供する。
【００２３】
本考案は超音波骨カッターを設けることにより、切断速度が更に速くなり、手術時間を短縮し、かつ切断する際の位置決めが正確で、スリップ現象が生じないため、手術における成功率を高めることができる。
【図面の簡単な説明】
【００２４】
【図１Ａ】図１Ａは、従来技術の超音波骨カッターのカッターヘッドの構造を示す模式図である。
【図１Ｂ】図１Ｂは、図１ＡにおけるＡ部分の拡大構造模式図である。
【図２Ａ】図２Ａは、従来技術の超音波骨カッターのカッターヘッドの操作を説明するための模式図である。
【図２Ｂ】図２Ｂは、従来技術の超音波骨カッターのカッターヘッドの操作を説明するための模式図である。
【図３】図３は、本考案の一実施例の超音波骨カッターのカッターヘッドの三次元構造を示す模式図である。
【図４】図４は、本考案の一実施例の超音波骨カッターのカッターヘッドの平面図である。
【図５】図５は、本考案の一実施例の超音波骨カッターのカッターヘッドの正面図である。
【図６】図６は、図３におけるＢ部分の局部拡大構造模式図である。
【図７】図７は、図３におけるＢ部分の他の一実施例の局部拡大構造模式図である。
【図８】図８は、本考案の一実施例の超音波骨カッターのカッターヘッドの使用状態を示すための図である。
【図９】図９は、本考案の一実施例の超音波骨カッターのカッターヘッドの他の使用状態を示す模式図である。
【考案を実施するための形態】
【００２５】
本考案の特徴を図面と実施例を用いて詳しく説明する。
下記では本考案の実施例を詳しく説明し、前記実施例は図面に示されており、同一または類似の符号は同一または類似の部材、または同一または類似機能を有する部材を示している。下記で図面を用いて説明する実施例は、本考案を説明するためのものであり、本考案を制限するものではないことを理解すべきである。
【００２６】
本考案では記述する際に、理解させるために用いる用語、“上”、“下”、“垂直”、“水平”、“頂”、“底”、“内”、“外”などの指示する方向または位置関係は図面に示されている方向または位置関係に基づいており、本考案を容易かつ簡単に説明するためであり、装置または部材が必ずしも特別な方向、特別な方向構造と操作を有するものであると指示または示唆するものではないため、本考案を制限するものではないと理解されるべきである。それ以外に、技術用語“第１”、“第２”は目的のみを記述するためであり、重要性を指示または暗示、または技術的特徴を明示する数を黙示的に含まれると理解しないようにしなければならない。これにより、“第１”、“第２”が限定されている特徴は、１つまたは複数の該特徴を明示または黙示的に含むことが可能である。本考案の記述では、他の説明を有する以外に、“複数”は２つ以上を意味する。
【００２７】
本考案の記述で、説明すべきこととして、他の明確な規定と限定を有する以外に、術語“取付ける”、“互いに連結”、“連結”は広い意味に理解し、例えば、固定して連結してもよく、取外し可能に連結され、または一体に連結されてもよく、機械的連結してもよく、電気的接続してもよく、直接的に連結してもよく、中間媒体を通じて間接的に連結してもよく、２つの部材の内部が連通していてもよい。当業者は、具体的状況により前記術語を本考案で果たす具体的意味として理解しなければならない。
【００２８】
下記では図面と具体的実施方式を用いて本考案の技術方案を詳細に説明する。
下記では図面を用いて本考案の一つの実施例の超音波骨カッターのカッターヘッド１００について説明する。図３は本考案の一実施例の超音波骨カッターのカッターヘッド１００の三次元構造を示す模式図である。図４は本考案の一実施例の超音波骨カッターのカッターヘッド１００の平面図である。図５は本考案の一実施例の超音波骨カッターのカッターヘッド１００の正面図である。図６は図３のＢ部分の局部拡大構造模式図である。
【００２９】
図３に示すように、本考案の一実施例により、超音波骨カッターのカッターヘッド１００は、カッターヘッドの端部１とカッターバー２を含む。カッターヘッドの端部１とカッターバー２の前端が連結され、かつ前記カッターヘッドの端部１はスプーン形状であり、かつ前面の辺縁は歯形状になっている。このような設計により、切断速度が更に速くなり、手術時間を短縮し、かつ切断するときの位置決めが正確になり、スリップが生じず、手術の成功率を高めることができる。
【００３０】
図３に示すように、カッター本体３はカッターバー２に連結され、カッターバー２は細い円柱形部分であり、カッター本体３は太い円柱形部分であり、カッター本体３とカッターバー２の間は円弧につながり、カッター本体３にはレンチの取り付け部５が設置され、カッター本体３の本体の前記カッターバー２に相対する片側には螺子連結孔４が形成されており、螺子連結孔４は螺子により超音波変換器（未図示）と取付けられて連結される。使用するとき、カッターヘッドの後端の螺子連結孔４を用いて特定の超音波変換器と連結し、かつ対応するスパナによりレンチの取り付け部５に締付け、更に超音波変換器を特定の超音波ホスト装置に連結すれば、即時に超音波による切断を行うことができる。
【００３１】
本考案の一実施例により、超音波骨カッターのカッターヘッド１００のカッターヘッドの端部１の前面辺縁の最大幅Ｄ２はカッターバー２の幅Ｄｌより小さくない。このような構造に設計する利点は、使用する際にカッターヘッドの端部１の切断された幅の大きさがカッターバー２の直径以上になることにある。手術を行うとき、厚い骨または深い溝、窓型の切欠き部を切断するとき、カッターが挟まれて係止される現象の発生を防ぐと共に、注入液をカッターヘッドの端部の切断箇所に流すことにより、切り目が熱傷しないように保証する。
【００３２】
本考案の一実施例により、超音波骨カッターのカッターヘッド１００のカッターバー２とカッターヘッドの端部１の内部は中空構造になって互いに連通してもよい。カッターヘッドの端部１の孔はスプーンの中心に位置してもよい。このような設計の利点は、スプーン形状の中心の単一出口の超音波骨カッターのカッターヘッドは、注入液が中空構造によりスプーン形状の中心に流されてから流出するように保証することにある。手術を行うとき、スプーン形状の中心、全体のカッターヘッドの端部１、接触する組織がリアルタイムで完全に注入液により清浄と冷却されることにより、切除された骨屑が即時に排出されて、切り目が鮮明で清潔になるように確保し、かつ残された保留しようとする組織が損傷されないように保護し、切削操作を行うとき鮮明になっているため、手術リスクが更に軽減されて、手術の安全性、成功率が高まる。
【００３３】
本考案の一実施例により、超音波骨カッターのカッターヘッド１００のカッターバー２とカッターヘッドの端部１の内部は中空構造になって互いに連通する。図６に示されるように、カッターヘッドの端部１の孔６はスプーン形状の中心（凹面に孔６が設けられていることに相当する）に位置してもよい。このように設置する利点は、スプーン形状の中心の単一出口の超音波骨カッターのカッターヘッドは、注入液がカッター本体により中空構造を通じてスプーン形状の中心に流されてから流出されるように確保し、手術するとき、スプーン形状の中心、全体のカッターヘッドの端部１、接触される組織がリアルタイムで注入液により洗浄と冷却されることにより、切除された骨屑が即時に排出されるように確保し、切り目が鮮明で清潔になり、かつ残された保留しようとする組織が損傷されないように保護し、切削操作（図９のＦ４に示す）を行うとき、鮮明になっているため、手術のリスクが更に軽減されて、手術の安全性、成功率は高まる。
【００３４】
本考案の一実施例により、孔６はスプーン形状の底部（凸面に孔６が設置されていることに相当する）に設けられてもよい。本考案の一実施例により、カッターヘッドの端部１の孔６は２つであってもよく、それぞれスプーン形状の中心とスプーン形状の底部に位置する。このように設計することにより下記の利点を有する。スプーン形状の中心とスプーン形状の底部における２つの出口を有する超音波骨カッターのカッターヘッド１００は、注入液がスプーン形状の中心とスプーン形状の底部から同時に流出されるように確保することができる。手術を行うとき、スプーン形状の中心、スプーン形状の底部、全体のカッターヘッドの端部、接触する組織はリアルタイムで完全に注入液により清浄と冷却されるようにし、切除された骨屑が即時に排出されるように確保することができる。上下の２つの箇所で水が出るため、いかなる切除操作を行うとき、切り目が鮮明で清潔になり、かつ残された、保留しようとする組織が損傷しないように保護している。スプーン形状のカッターヘッドの端部を脊髄硬膜と除去しようとする椎体（骨）の間に進入させて、力を内部から外部へ向かって操作するときには、このような設計類型が特に重要である。これは、スプーン形状の底部からの出水がスプーン形状の底部の下方に位置する脊髄硬膜と脊髄を保護し、更にスプーン形状の中心からの出水がスプーン形状の中心の上方の組織を保護することができるためである。さらに、手術をするときには、１箇所の出水口が遮断または阻止された場合、他の１箇所で液体が充分に流出されるように保証する。さらに、２箇所の出水は組織へ更に充分に流出するようにする。上述したように、手術リスクが更に軽減され、手術の安全性、成功率が更に高くなる。
【００３５】
本考案の一実施例により、カッターヘッドの端部１の前記前面の辺縁において、前記カッターヘッドの端部１の凹面に沿って凸面に向かう方向には複数の歯溝７が設けられている。各前記歯溝７と、カッターヘッドの端部１における凹面から凸面に向かう方向との角度は、９０度より小さい。図６に示すように、歯溝７の一端はカッターヘッドの端部１の凹面に連通し、歯溝７の前記方向に沿う長さＬ１は中央から両側向かって徐々に小さくなる。隣接する歯溝７の間の異なるサイズの歯を用いて手術を行うため、手術者が容易に選択することができる。
【００３６】
本考案のいくつかの実施例では、図７に示すように、カッターヘッドの端部２の、凸面および凹面に連結する２つの相対する側壁の少なくとも１つの側壁には、複数の互いに隔離されている第１凹溝１２が設けられ、複数の第１凹溝１２は摩擦用パターンを形成し、それにより、超音波骨カッターのカッターヘッド１００は骨を摩耗する作用を果たすことができ、かつカッターヘッドの端部２の側壁を用いて骨を切断し、超音波骨カッターのカッターヘッド１００の使用における利便性を高めることができる。好ましくは、各第１凹溝１２はスプーン形状の中心からスプーン形状の底部方向に向かって延伸し、かつ複数の第１凹溝１２は前から後へ向かう方向に分布し、それによって第１凹溝１２の数を増やして、側壁の研削効果を高めることができる。
【００３７】
当然のことながら、カッターヘッドの端部１の凸面には複数の第２凹溝（未図示）が設けられてもよく、複数の第２凹溝は摩擦用パターンを形成するため、超音波骨カッターのカッターヘッド１００の使用における利便性を更に高めることができる。好ましくは、各第２凹溝はカッターヘッドの端部１の幅方向に延伸し、複数の第２凹溝は前から後へ向かう方向に分布されている。
【００３８】
下記では図８、９を用いて、本考案の実施例における超音波骨カッターのカッターヘッドの操作を説明する。本考案の一実施例における、カッターヘッドの端部がスプーン形状である超音波骨カッターのカッターヘッド１００を操作するときには、スプーンの使用原理を利用し、スプーン形状のカッターヘッドの端部１の任意部位は骨２００に対して除去操作を行うことができ、操作者は自分で行いたい手法、姿勢を適切に選択して使用することができ、操作での制限がなく、使用しやすくなる。使用時には、スプーン形状のカッターヘッドの端部１を硬膜と除去しようとする椎体（骨）との間に入れて、力を内側から外側へ向かって操作し、これにより、図８に示すように、脊（骨）髄などの軟組織３００が不慮に破壊して損傷されるリスクを減少し、手術リスクを軽減し、操作難度を減少する。同時に、手術過程では、孔６から注入液を流出させて清浄と冷却を行うため、スプーン形状の中心／スプーン形状の底部、全体のカッターヘッドの端部１、接触する組織がリアルタイムで注入液により完全に清浄と冷却され、骨２００から切除された骨屑（未図示）が即時に排出されるように確保し、切り目が鮮明で清潔になり、かつ残された、保留しようとする組織が損傷されないように保護する。
【００３９】
本考案の一実施例によれば、前記超音波骨カッターのカッターヘッドを含む超音波骨カッターを更に提供する。本考案は超音波骨カッターを設けることにより、切断速度が更に速くなり、手術時間を短縮し、かつ切断する際の位置決めが正確で、スリップ現象が発生しないため、手術の成功率を高めることができる。
【００４０】
本明細書に記述された、技術用語“一実施例”、“いくつかの実施例”、“概略実施例”、“例示”、“具体的例示”、または“いくつかの例示”などの記述は、該実施例または例示に合わせて説明する具体的特徴、構造、材料または特点が本考案の少なくとも１つの実施例または例示の中に含まれるべきであることを表示することとなっている。本明細書では、前記技術用語の概略記述は同一の実施例または例示を示すこととは限らない。さらに、記述された具体的特徴、構造、材料または特徴はいずれかの１つまたは複数の実施例または例示のうち、適切な方式で結合される。
【００４１】
本考案は実施例を示して記述したが、当業者は、本考案の原理と目的から離れない状態で、これらの実施例に対していろんな変化、修正、取替と変形を行っても、本考案の範囲は特許請求の範囲及び同等物により制限されることを理解すべきである。
【図１Ａ】
0003207943.tif 000003
【図１Ｂ】
0003207943.tif 000004
【図２Ａ】
0003207943.tif 000005
【図２Ｂ】
0003207943.tif 000006
【図３】
0003207943.tif 000007
【図４】
0003207943.tif 000008
【図５】
0003207943.tif 000009
【図６】
0003207943.tif 000010
【図７】
0003207943.tif 000011
【図８】
0003207943.tif 000012
【図９】
0003207943.tif 000013
【手続補正書】
【提出日】平成28年10月17日(2016.10.17)
【手続補正１】
【補正対象書類名】実用新案登録請求の範囲
【補正対象項目名】全文
【補正方法】変更
【補正の内容】
【実用新案登録請求の範囲】
【請求項１】
超音波骨カッターのカッターヘッドであって、
カッターバーと、
前記カッターバーの前端に連結するカッターヘッド端部と、を備え、
前記カッターヘッド端部はスプーン形状であり、かつ前面辺縁が歯形状になっている、ことを特徴とする超音波骨カッターのカッターヘッド。
【請求項２】
前記カッターヘッド端部の前記前面辺縁の最大幅は、前記カッターバーの幅より小さくない、ことを特徴とする請求項１に記載の超音波骨カッターのカッターヘッド。
【請求項３】
前記カッターバー及び前記カッターヘッド端部の内部は、中空構造でありかつ互いに連通する、ことを特徴とする請求項１または請求項２に記載の超音波骨カッターのカッターヘッド。
【請求項４】
前記カッターヘッド端部には孔が設けられ、前記孔は前記カッターヘッド端部のスプーン形状の中心または底部の少なくとも一箇所に位置するとともに前記中空構造と連通する、ことを特徴とする請求項３に記載の超音波骨カッターのカッターヘッド。
【請求項５】
カッター本体をさらに備え、
前記カッター本体は前記カッターバーの後端に連結されており、
前記カッター本体と前記カッターバーは円柱形であり、かつ前記カッター本体は前記カッターバーより大きく、かつ前記カッター本体と前記カッターバーとの間は円弧につながっている、ことを特徴とする請求項３に記載の超音波骨カッターのカッターヘッド。
【請求項６】
前記カッター本体にはレンチの取り付け部が設置されている、ことを特徴とする請求項５に記載の超音波骨カッターのカッターヘッド。
【請求項７】
前記カッター本体の本体において、前記カッターバーに相対する片側には螺子連結孔が設置され、前記螺子連結孔は前記中空構造に連通する、ことを特徴とする請求項６に記載の超音波骨カッターのカッターヘッド。
【請求項８】
前記カッターヘッド端部の前記前面辺縁において、前記カッターヘッド端部の凹面から凸面に向かう方向に沿って複数の歯溝が形成されている、ことを特徴とする請求項１に記載の超音波骨カッターのカッターヘッド。
【請求項９】
前記複数の歯溝のそれぞれと、前記カッターヘッド端部の前記凹面から前記凸面に向かう方向との角度は９０度より小さい、ことを特徴とする請求項８に記載の超音波骨カッターのカッターヘッド。
【請求項１０】
前記歯溝の一端は前記カッターヘッド端部の前記凹面に連通し、前記歯溝の、前記カッターヘッド端部の凹面から凸面に向かう方向に沿う長さは、中央部から両側に向かって徐々に小さくなる、ことを特徴とする請求項８に記載の超音波骨カッターのカッターヘッド。
【請求項１１】
前記カッターヘッド端部における、前記カッターヘッド端部の凸面および凹面に連結する２つの相対する側壁の少なくとも１つの側壁には互いに離隔された複数の第１凹溝が設けられている、ことを特徴とする請求項１に記載の超音波骨カッターのカッターヘッド。
【請求項１２】
前記複数の第１凹溝のそれぞれはスプーン形状の中心からスプーン形状の底部方向に延伸し、かつ前記複数の第１凹溝は前から後へ向かう方向に分布されている、ことを特徴とする請求項１１に記載の超音波骨カッターのカッターヘッド。
【請求項１３】
前記カッターヘッド端部の凸面には複数の第２凹溝が設けられている、ことを特徴とする請求項１または１１に記載の超音波骨カッターのカッターヘッド。
【請求項１４】
前記複数の第２凹溝それぞれは前記カッターヘッド端部の幅方向に延伸され、前記複数の第２凹溝は前から後へ向かう方向に分布されている、ことを特徴とする請求項１３に記載の超音波骨カッターのカッターヘッド。
【請求項１５】
請求項１〜１４のいずれか一項に記載の超音波骨カッターのカッターヘッドを含む、ことを特徴とする超音波骨カッター。